(57)【要約】【課題】セグメント表示部の非点灯部分が外部から視認できず、また、セグメント表示部の点灯部分が拡散せずに外部から視認でき、尚且つ、透過板の色を外観の筐体色に合わせることが可能なセグメント表示部を備えた電子機器を提供する。【解決手段】筐体と、前記筐体内部に実装されたセグメント表示部と、前記筐体に設けた穴部に取り付け、前記セグメント表示部の点灯面と対向する位置に配置された透過板とを備え、前記セグメント表示部の点灯光を前記透過板を通して前記筐体外部から視認する電子機器において、前記透過板は、前記セグメント表示部側の面にハーフミラー処理が施された部材であることを特徴とする。【選択図】  図３
2018072548.tif 000002
【特許請求の範囲】
【請求項１】
筐体と、前記筐体内部に実装されたセグメント表示部と、前記筐体に設けた穴部に取り付け、前記セグメント表示部の点灯面と対向する位置に配置された透過板とを備え、前記セグメント表示部の点灯光を前記透過板を通して前記筐体外部から視認する電子機器において、
前記透過板は、前記セグメント表示部側の面にハーフミラー処理が施された部材であることを特徴とする電子機器。
【請求項２】
請求項１記載の電子機器において、
前記透過板は、ハーフミラー処理が施された透明樹脂板であることを特徴とする電子機器。
【請求項３】
請求項２記載の電子機器において、
前記透過板は、前記透明樹脂板の前記セグメント表示部側の面にパール材料を塗布後、ハーフミラー処理が施されることを特徴とする電子機器。
【請求項４】
請求項１乃至３のいずれかに記載の電子機器において、
前記透過板は、表示エリア以外の部分に有色系材料が塗布されていることを特徴とする電子機器。
【発明の詳細な説明】
【技術分野】
【０００１】
本発明は、電子機器におけるセグメント表示部の透過板の構造に関する。
【背景技術】
【０００２】
従来、例えば、計測機器、制御機器、表示機器または通信機器などの電子機器では、ＬＥＤ（Light  Emitting  Diode）等の発光素子を使った７セグメント表示部を備え、当該７セグメント表示部に数値やアルファベットや記号等を表示して、使用者や操作者に日時、稼働状況、または操作状態などを知らせるようにした機器が存在する（特許文献１参照）。また、このような電子機器の７セグメント表示部は、電子機器の筐体の前面に矩形穴等を設け、当該矩形穴に配置した透過板を通して発光素子からの点灯光を外部に表示させる構造が数多く採用されている。
【０００３】
そこで、従来のセグメント表示部を備えた電子機器の構造について、図１、図２、図５〜図８を用いて説明する。
図１は、従来のセグメント表示部を備えた電子機器の概観の一例を示す斜視図である。図２は、図１の電子機器の正面図および断面図であり、（ａ）は正面図、（ｂ）は（ａ）においてＡ−Ａ面で切断した場合の断面図である。図５は、従来の透過板の構成とセグメント表示部からの点灯光の進行方向を説明するための図である。図６は、図５（ａ）の透過板を使用した場合のセグメント表示部点灯時の透過板の状態（見え方）を示す図である。図７は、図５（ｂ）の透過板を使用した場合のセグメント表示部点灯時の透過板の状態（見え方）を示す図である。また、図８は、図５（ｃ）の透過板を使用した場合のセグメント表示部点灯時の透過板の状態（見え方）を示す図である。
従来の電子機器２００は、図１および図２に示すように、筐体１０と、セグメント表示部２０を実装した制御基板４０と、透過板３０とから構成されている。また、制御基板４０は、筐体１０内に立設された複数の固定用ボス１１にネジ１００で固定されている。また、透過板３０は、筐体１０に形成された矩形穴１２を有する段差部１３に、セグメント表示部２０と対向するよう配置され、段差部１３と接触する面で、例えば両面テープや接着剤等を使い固定されている。なお、筐体１０は、実際には、図２（ｂ）において、上下に２分割された構造となっており、上下それぞれの筐体は、例えばプラスチック成形加工によって形成されたものである。
【０００４】
上述したように、電子機器１の使用者は、セグメント表示部２０に点灯表示された数値や文字等を外部の矢印Ｂの方向から、透過板３０を通して視認することになる。その際、使用者が外部からセグメント表示部２０の非点灯箇所を視認できないようにする必要がある。更に、電子機器１では、透過板３０の色を筐体１０の色になるべく合わせるようにし、外観上、透過板３０が目立たないようにする必要がある。
従来、透過板３０として、図５（ａ）に示すような、単純な透明板ではなく、透過性のグレースモークまたはブラウンスモーク系の、例えばポリカーボネート樹脂板を使用し、セグメント表示部２０の明るさに合わせた透過率のものを用いた透過板３０−１がある。透過板３０−１を使用することにより、図６に示すように、セグメント表示部２０の点灯部分のみ視認することができる構造となっている。
しかし、透過板３０−１は、グレースモークまたはブラウンスモーク系の色に限定されるため、電子機器１の筐体１０の色を、例えばパールホワイト系の色にしたいような場合には、透過板３０−１が目立ってしまうという問題がある。
【０００５】
また、透過板３０として、図５（ｂ）に示すような、基材として透明樹脂板を使用し、透明樹脂板のセグメント表示部２０側の面に、筐体１０の色と略同色のパールホワイト顔料を用いた透過性のインクを塗布した透過板３０−２がある。
しかし、透過板３０−２は、パールホワイト塗装をしても透明性が高いため、図７に示すように、セグメント表示部２０の非点灯部分が外部から見えてしまうという問題がある。また、透過板３０−２では、パールホワイト塗布部分でセグメント表示部２０からの点灯光が拡散してしまうので、点灯した文字等がぼやけてしまうという問題がある。
なお、セグメント表示部２０に透過板３０−２を密着させることで光の拡散を防ぐ方法も考えられるが、多くの電子機器では、部品実装の制約上、透過板３０−２をセグメント表示部２０に密着させることは困難な場合が多い。
また、筐体１０の色が白色であった場合でも、白色の透過板はなく、白色樹脂の透過率を調整してもセグメント表示部２０の点灯部分が拡散して見えなくなるため、透過板３０は外観デザイン上、白色にすることができない。
【０００６】
また、透過板３０として、図５（ｃ）に示すような、基材として透明樹脂板を使用し、透明樹脂板のセグメント表示部２０側の面に、金属の薄膜蒸着によって透過性を有するハーフミラー処理を施した透過板３０−３がある。
しかし、透過板３０−３では、セグメント表示部２０からの点灯光である強い光のみ透過するので、点灯した文字等がぼやけることはないが、図８に示すように、外部から見て透過板３０−３の外観が鏡面になってしまい、目立ってしまうという問題がある。
【先行技術文献】
【特許文献】
【０００７】
【特許文献１】特開平１０−３９８２０号公報
【発明の概要】
【発明が解決しようとする課題】
【０００８】
つまり、従来方法によれば、（１）セグメント表示部の非点灯部分が外部から視認できないこと、（２）セグメント表示部の点灯部分が拡散せずに外部から視認できること、の２つの機能を満たす白色系の透過板はなく、また、セグメント表示部での透過板の色は外観デザイン上、白色系のデザインとすることができなかった。
【０００９】
本発明は、このような状況に鑑みてなされたものであり、セグメント表示部の非点灯部分が外部から視認できず、また、セグメント表示部の点灯部分が拡散せずに外部から視認でき、尚且つ、透過板の色を外観の筐体色に合わせることが可能なセグメント表示部を備えた電子機器を提供することを目的とする。
【課題を解決するための手段】
【００１０】
上記目的を達成するために、本発明の電子機器は、筐体と、前記筐体内部に実装されたセグメント表示部と、前記筐体に設けた穴部に取り付け、前記セグメント表示部の点灯面と対向する位置に配置された透過板とを備え、前記セグメント表示部の点灯光を前記透過板を通して前記筐体外部から視認する電子機器において、前記透過板は、前記セグメント表示部側の面にハーフミラー処理が施された部材であることを特徴とする。
【００１１】
また、上記目的を達成するために、本発明の電子機器は、上記した電子機器において、前記透過板は、ハーフミラー処理が施された透明樹脂板であることを特徴とする。
【００１２】
また、上記目的を達成するために、本発明の電子機器は、上記した電子機器において、前記透過板は、前記透明樹脂板の前記セグメント表示部側の面にパール材料を塗布後、ハーフミラー処理が施されることを特徴とする。
【００１３】
また、上記目的を達成するために、本発明の電子機器は、上記した電子機器において、前記透過板は、表示エリア以外の部分に有色系材料が塗布されていることを特徴とする。
【発明の効果】
【００１４】
本発明によれば、セグメント表示部の非点灯部分が外部から視認できず、また、セグメント表示部の点灯部分が拡散せずに外部から視認でき、尚且つ、透過板の色を外観の筐体色に合わせることができる。
【図面の簡単な説明】
【００１５】
【図１】従来の７セグメント表示部を備えた電子機器の概観の一例を示す斜視図である。
【図２】図１の電子機器の正面図および断面図であり、（ａ）は正面図、（ｂ）は（ａ）においてＡ−Ａ面で切断した場合の断面図である。
【図３】本発明の一実施形態に係る電子機器における透過板の構成とセグメント表示部からの点灯光の進行方向を説明するための図である。
【図４】図３の透過板を使用した場合のセグメント表示部点灯時の透過板の状態（見え方）を示す図である。
【図５】従来の透過板の構成とセグメント表示部からの点灯光の進行方向を説明するための図である。
【図６】図５（ａ）の透過板を使用した場合のセグメント表示部点灯時の透過板の状態（見え方）を示す図である。
【図７】図５（ｂ）の透過板を使用した場合のセグメント表示部点灯時の透過板の状態（見え方）を示す図である。
【図８】図５（ｃ）の透過板を使用した場合のセグメント表示部点灯時の透過板の状態（見え方）を示す図である。
【発明を実施するための形態】
【００１６】
以下、本発明の一実施形態に係る電子機器について説明する。
本発明の一実施形態に係る電子機器１の構成、並びにその形状は、従来技術で説明した図１および図２の電子機器２００と同様であり、透過板の仕様のみ異なるため、概観およびその断面を示す図は省略する。なお、以下の説明において、図１または図２と同様の構成については同一の部番を付し、その詳細な説明は省略する。
つまり、本発明の一実施形態に係る電子機器１は、筐体１０と、セグメント表示部２０を実装した制御基板４０と、透過板３とから構成されている。また、制御基板４０は、筐体１０内に立設された複数の固定用ボス１１にネジ１００で固定されている。また、透過板３は、筐体１０に形成された矩形穴１２を有する段差部１３に、セグメント表示部２０と対向するよう配置され、段差部１３と接触する面で、例えば両面テープや接着剤等を使い固定されている。
なお、本実施例では、セグメント表示部２０でセグメント表示を行う表示素子として７セグメントディスプレイを使用しているが、１４セグメントディスプレイや１６セグメントディスプレイであってもよい。
【００１７】
そこで、本発明の一実施形態に係る電子機器の透過板について、図３および図４を用いて説明する。図３は、本発明の一実施形態に係る電子機器における透過板の構成とセグメント表示部からの点灯光の進行方向を説明するための図である。また、図４は、図３の透過板を使用した場合のセグメント表示部点灯時の透過板の状態（見え方）を示す図である。
【００１８】
本発明の一実施形態に係る電子機器１では、透過板として、図３に示すような、基材として透明板３ａを使用し、透明板３ａのセグメント表示部２０側の面に、パール顔料を混入し、筐体１０の色と略同色系で透過性のある塗料を塗布したパールホワイト塗布層３ｂと、パールホワイト塗布層３ｂの下に、金属の薄膜蒸着によって透過性を有するハーフミラー処理を施したハーフミラー処理層３ｃとを有する透過板３を使用する。
【００１９】
次に、透過板３を構成する透明板３ａ、パールホワイト塗布層３ｂ、並びにハーフミラー処理層３ｃの詳細について説明する。
透明板３ａは、例えば、樹脂、ガラスなどの透明材料で形成される。
パールホワイト塗布層３ｂは、例えば、雲母（マイカ）を粉砕した鱗状の微細な粒子の表面に二酸化チタンをコーティングすることで表面に反射性を持たせたパール顔料を混入した塗料またはインクを使用し、塗装または印刷によって形成される。
ハーフミラー処理層３ｃは、例えば、アルミ、チタン、ニッケル、金、銀、銅、タングステン、白金等の金属材料を使用して、例えば、真空蒸着やスパッタリングなどの成膜方法によって形成される。また、ハーフミラー処理層３ｃの厚みは、例えば、材料としてアルミを使用した場合には、５ｎｍ〜３５ｎｍであるが、実質的には１０〜３０ｎｍでもよい。
【００２０】
上記した透過板３を使用することにより、図３に示すように、透過板３内において、セグメント表示部２０からの点灯光は、ハーフミラー処理層３ｃで薄く成層された金属粒子相互間に生じる隙間を通過した後、パールホワイト塗布層３ｂに入射する。その後点灯光は、パールホワイト塗布層３ｂで透過され、透明板３ａを通過し外部に放出される。一方、ハーフミラー処理層３ｃ表面での光沢ある銀色等の金属色に輝くぎらぎら光はパールホワイト塗布層３ｂでのパール顔料による反射効果によって遮断され外部からは見えなくなる。
したがって、セグメント表示部２０からの点灯光を外部（矢印Ｂ方向）から見た場合に、図４に示すように、セグメント表示部２０の非点灯部分が外部から視認できず、また、セグメント表示部２０の点灯部分が拡散せずに外部から視認でき、尚且つ、透過板３での点灯光通過箇所以外の色が筐体１０の色（本実施例の場合は、パールホワイト）と略同色となっているので、筐体１０の色に対して透過板３が目立つようなことはない。
【００２１】
即ち、筐体１０の色に対して、透過板３の色が目立たないようにするためには、パールホワイト塗布層３ｂにおいて、筐体１０の色に近似した塗料にパール顔料を混入した塗料を使用するようにすればよい。また、透過板３のセグメント表示部２０の点灯エリア以外の範囲において、透明板３ａとパールホワイト塗布層３ｂとの間に、筐体１０の色と同色で不透過性の塗料またはインクを使用し、塗装または印刷を行うようにすれば更によい。
【００２２】
なお、本実施例において、透過板３は、基材として平板状の透明板３ａを使用し、透明板３ａのセグメント表示部２０側の面に、パール顔料を混入し、筐体１０の色と略同色系で透過性のある塗料を塗布したパールホワイト塗布層３ｂと、パールホワイト塗布層３ｂの下に、金属の薄膜蒸着によって透過性を有するハーフミラー処理を施したハーフミラー処理層３ｃとを有する構成としたが、基材は、平板状の透明板に限らず、例えば、筐体の外観デザインに合わせた曲面形状の透明板としても構わない。
【００２３】
上述したように、本発明の一実施形態に係る電子機器によれば、セグメント表示部の非点灯部分が外部から視認できず、また、セグメント表示部の点灯部分が拡散せずに外部から視認でき、尚且つ、透過板の色を外観の筐体色に合わせることができる。
【００２４】
なお、上記した実施形態の構成及び動作は例であって、本発明の趣旨を逸脱しない範囲で適宜変更して実行することができることは言うまでもない。
【産業上の利用可能性】
【００２５】
本発明は、７セグメント表示部を備え、当該７セグメント表示部からの点灯光を透過板を介して外部に表示させる電子機器において利用される。
【符号の説明】
【００２６】
１：電子機器、３：透過板、３ａ：透明樹脂板、３ｂ：パールホワイト塗布層、３ｃ：ハーフミラー処理層３ｃ、１０：筐体、１１：固定用ボス、１２：矩形穴、１３：段差部、２０：セグメント表示部、３０，３０−１，３０−２，３０−３：透過板、４０：制御基板、１００：ネジ、２００：電子機器。
【図１】
2018072548.tif 000003
【図２】
2018072548.tif 000004
【図３】
2018072548.tif 000005
【図４】
2018072548.tif 000006
【図５】
2018072548.tif 000007
【図６】
2018072548.tif 000008
【図７】
2018072548.tif 000009
【図８】
2018072548.tif 000010